(57)【特許請求の範囲】
【請求項１】
送信器システムと、受信器システムと、これらを接続する光リンクおよびデータ・ラインとからなる、量子コヒーレンスに基づく量子暗号通信が行われるシステムであって、
前記送信器システムは、
光源と、
前記光源によって活性化されると、信号ビームおよびアイドラー・ビームの形で放射される一組の光子を各々が発生することができる第一および第二の発生源と、
前記第一の発生源からのアイドラー・ビームが前記第二の発生源に入射し、該入射したアイドラー・ビームと前記第二の発生源からのアイドラー・ビームとが一直線になるように調整されており、該第一および第二の発生源それぞれからの信号ビームを第一のコモン・ポイントに集束する第一の指向手段と、
前記第一の発生源からのアイドラー・ビーム、前記第一の発生源からの信号ビーム又は前記第二の発生源からの信号ビームの内の一つの位相を第一および第二の位相設定値の間で変える第一の光変調器と、
前記第二の発生源からの信号ビームの偏光を９０度回転させる第一の半波長板と、
前記第一のコモン・ポイントに配置され、前記第一の発生源からの第一の偏光状態の信号ビームを透過するとともに、前記半波長板により偏光が９０度回転した前記第二の発生源からの第二の偏光状態の信号ビームを反射する第一の偏光ビームスプリッターと、
前記第一の偏光ビームスプリッターと前記光リンクの間に配置され、前記第一の発生源からの信号ビームについては第一の偏光状態を保持し、前記第二の発生源からの信号ビームについてはその偏光を９０度回転して前記第一の半波長板を通過する前の第一の偏光状態に戻すように制御される第二の光変調器と、
前記第一の位相設定値から前記第二の位相設定値へ位相を変更するタイミングを制御する第一の制御装置と、
前記第二の光変調器の動作タイミングを制御する第二の制御装置とを有し、
前記受信器システムは、
前記光リンクを介して受信した信号ビームのうち、前記第一の発生源からの信号ビームについては第一の偏光状態を保持し、前記第二の発生源からの信号ビームについてはその偏光を９０度回転して第二の偏光状態とするように制御される第三の光変調器と、
前記第三の光変調器を通過した信号ビームのうち、前記第一の発生源からの第一の偏光状態の信号ビームを透過し、前記第二の発生源からの第二の偏光状態の信号ビームを反射する第二の偏光ビームスプリッターと、
前記第二の偏光ビームスプリッターにて分離された信号ビームをそれぞれ第二のコモン・ポイントに同じタイミングで集束する第二の指向手段と、
前記第一および第二の発生源からの信号ビームを検出する第一および第二の検出器と、
前記第二のコモン・ポイントに配置されて、位相が前記第一の位相設定値に変更された時に前記第一の検出器へ信号ビームを指向し、位相が前記第二の位相設定値に変更された時に前記第二の検出器へ信号ビームを指向するビームスプリッターと、
前記第二のコモン・ポイントに集束する前の前記第二の発生源からの信号ビームの光路に配置され、該信号ビームの偏光を９０度回転して第一の偏光状態に変換する第二の半波長板と、
前記第三の光変調器の動作タイミングを制御する第三の制御装置とを有し、
前記第一、第二、および第三の制御装置が同期化され、これら制御装置からの信号が前記データ・ラインを介して伝送されるように構成されている量子暗号通信システム。
【請求項２】
前記光源がレーザーである、請求項１に記載の量子暗号通信システム。
【請求項３】
前記第一および第二の発生源が二次非線形結晶である、請求項１に記載の量子暗号通信システム。
【請求項４】
前記光源からの光が前記第一の発生源に入射するように構成されるとともに、前記光源からの光を前記第二の発生源に入射するように指向するために前記光源の光路に配置された一連の反射器をさらに有する、請求項１に記載の量子暗号通信システム。
【請求項５】
前記第一の位相設定値が前記第一の発生源からのアイドラー・ビームの位相であり、前記第二の位相設定値が１８０度シフトされた前記第一の発生源からのアイドラー・ビームの位相である、請求項１に記載の量子暗号通信システム。
【請求項６】
前記第一の検出器での信号ビームの検出が第一の論理値に対応し、前記第二の検出器での信号ビームの検出が第二の論理値に対応する、請求項１に記載の量子暗号通信システム。
【請求項７】
２進論理方式が用いられ、前記第一の論理値が論理１又は論理０のいずれか一方の値であり、前記第二の論理値が前記論理１および論理０のもう一方の値である、請求項６に記載の量子暗号通信システム。
【請求項８】
前記第一の制御装置が、前記第一および第二の論理値に対応して、それぞれ第一の位相設定値から第二の位相設定値への位相変更のタイミングを制御し、前記受信器システムへの伝送のための暗号化キーとして前記第一および第二の論理値の列を使用する、請求項６に記載の量子暗号通信システム。
【請求項９】
前記第一の指向手段は、前記第一および第二の発生源からの信号ビームの光路にそれぞれ配置され、該第一および第二の発生源からの信号ビームをそれぞれ前記第一のコモン・ポイントへ指向する一連の第１の反射器を有し、
前記第二の指向手段は、前記第二の偏光ビームスプリッターにて分離された各信号ビームの光路にそれぞれ配置され、該各信号ビームをそれぞれ前記第二のコモン・ポイントへ指向する一連の第２の反射器を有する、請求項１に記載の量子暗号通信システム。
【請求項１０】
前記第二の光変調器からの信号ビームを前記光リンクに収束するレンズを更に有する、請求項１に記載の量子暗号通信システム。
【請求項１１】
前記第三の光変調器から前記第二の偏光ビームスプリッターに入射する信号ビームを平行化するレンズを更に有する、請求項１に記載の量子暗号通信システム。
【請求項１２】
前記送信器システムがマスター・クロックを生成し、前記第一、第二、および第三の制御装置が前記マスター・クロックにより同期化される、請求項１に記載の量子暗号通信システム。
【請求項１３】
前記送信器システムが前記光源に同期した第一のクロックを生成し、前記受信器システムが第二のクロックを生成し、前記第一および第二の制御装置が前記第一のクロックにより同期化され、前記第三の制御装置が初めは前記第一のクロックにより同期化されて、これら制御装置からの信号が前記データ・ラインを介して伝送され、その後、前記第三の制御装置が前記第二のクロックにより同期化される、請求項１に記載の量子暗号通信システム。
【発明の詳細な説明】
【０００１】
【発明の属する技術分野】
本発明は、暗号通信に関する。特に、本発明は、二通信者間で公開送信メッセ−ジを暗号化するのに使用できる二組の２進暗号化キ−を秘密に配送する、物理的原理に基づくシステムを提供する。
【０００２】
【従来の技術】
一般に、二通信者間のみで秘密チャンネルを確立するには次の三つの方法がある。第一の方法は、秘密の状態でメッセ−ジを配達できる秘密急使を使うことである。第二の方法は、「公開キ−」と呼ばれるものを伴う。この場合、通信者Ａと通信者Ｂは、二つの素数ｐおよびｑに関して共通の協定を公に設定する。次いで、通信者Ａは秘密の数ｘを選んで公開数ｐｘ（ｍｏｄ  ｑ）を通信者Ｂに公に送信する。同様に、通信者Ｂは秘密の数ｙを選んで数ｐｙ（ｍｏｄ  ｑ）を通信者Ａに公に送信する。次いで、通信者Ａが数（ｐｙ）ｘ ＝ ｐｘｙ（ｍｏｄ  ｑ）を計算し、通信者Ｂが数（ｐｘ）ｙ ＝ ｐｘｙ（ｍｏｄ  ｑ）を計算する。この方法を用いて、相互に同じキ−が設定される。この方法における秘密は、第三者がその数を因数分解する計算力を有していないという仮定の上でのみ保証される。これら第一および第二の方法は、両方とも周知の技術である。
【０００３】
第三の方法は、量子暗号法と呼ばれる方法である。この量子暗号法の基本動作原理を以下に要約する。
【０００４】
送信器Ａは、一対の粒子の量子力学的状態をつくる。そのような状態は、二つの量子力学的粒子（ｘおよびｙ）（例えば光子）のみからなる。その状態は、それら粒子が“深くかかわった量子状態”の普遍的なクラスになるような方法においてつくられる。そのような状態は、粒子ｘの挙動が粒子ｙの挙動に密接に関係するという性質を持つ。例えば、一方がそのような状態をつくって、光子ｘが左偏光か右偏光かを測定する場合、その結果は、もう一方が粒子ｙについてそのような性質の同時測定を行って得られる結果と密接に関係している。特別な場合（アインシュタイン−パドルスキイ−ロ−ゼンEinstein-Podolsky-Rosen（ＥＰＲ）状態と称する）においては、粒子ｘ，ｙの偏光状態が常に反対であるために扱い易い。
【０００５】
深くかかわった２粒子量子状態をつくった後、送信器Ａは通信路を介して一つの粒子ｘを受信器Ｂへ送信する。受信器Ｂは、粒子ｘを受信した直後にその偏光を９０度回転するか（２進法“１”で表す）、又は何も行わない（２進法“０”で表す）かを決定して、その粒子ｘを元の送信器Ａへ返送する。受信器Ｂから返送された粒子ｘを受信すると、元の送信器Ａは、各種の偏光状態ベースを用いて両粒子ｘ，ｙについて二つの同じ測定を行う。その二つの測定結果が両粒子（ｘ，ｙ）に関して同じ場合は、送信器Ａは受信器Ｂが２進数の０を送信器Ａに応答したと断定することができる。二つの測定結果が互いに９０度回転している場合は、２進数の１が記録される。１ビットの秘密キー列が通信された場合は、一度にただ一つの量子ｘ（例えば、光子）しか送られて来ないから、光子ｘが盗聴者Ｃによって捕獲されたり干渉されたりしたら、光子の偏光性質が失われることとなる。したがって、本方法は盗聴に対して安全である。
【０００６】
【発明が解決しようとする課題】
量子暗号法を利用する従来の技術では、単一光子対の発生源の代わりにレーザー光源を使用するので、真の量子暗号通信チャンネルを考慮することができない。これらの技術はそれぞれ利点があるが、以下の不具合が障害となっている。
【０００７】
（１）従来の技術は、単一光子を使用して２進キー列情報を伝送することによって二通信者間のみに秘密通信チャンネルを提供するようにはなっておらず、よって、物理的原理に基づく秘密保持がなされない。
【０００８】
（２）従来の技術は、二つの深くかかわった粒子の一つが二通信者間の距離を二回移動することを必要とする、単一粒子の偏光のかかわり状態を利用しており、この長い距離の間に、通信チャンネルに対する障害（即ち、熱的又は機械的に誘発された二重屈折）が通信チャンネルの偏光を妨害してエラ−を発生させる。
【０００９】
（３）従来の技術は、二重屈折を自然発生し易く、また通信チャンネルを妨害してエラ−をもたらす、単一粒子の偏光のかかわり状態を利用している。
【００１０】
（４）従来の技術は、外乱（即ち、全通信期間の間に通信路（ファイバー路）長の不均等変化を早く生じさせる熱的、音響的外乱）を特に受け易い長い通信路長の二倍の長さに対しての保護が要求される通信のための位相変調を用いており、これが再び通信チャンネルに悪影響を与えてエラ−を生じさせる。
【００１１】
本発明は、二つの単一光子発生源の間の量子コヒーレンス特性を用いて従来の通信チャンネルを通して通信することにより上記問題の全てを解決することを目的とする。特に、本発明は、単一量子の量子力学的状態は、知られていない場合、コピーすることはできないという物理的原理に基づいている。
【００１２】
【課題を解決するための手段】
ゆえに、本発明は上記目的を達成するために以下のような特徴を有する量子暗号通信システムを提供する。
【００１３】
本発明の量子暗号通信システムは、送信器システムと、受信器システムと、これらを接続する光リンクおよびデータ・ラインとからなる、量子コヒーレンスに基づく量子暗号通信が行われるシステムであって、
前記送信器システムは、
光源と、
前記光源によって活性化されると、信号ビームおよびアイドラー・ビームの形で放射される一組の光子を各々が発生することができる第一および第二の発生源と、
前記第一の発生源からのアイドラー・ビームが前記第二の発生源に入射し、該入射したアイドラー・ビームと前記第二の発生源からのアイドラー・ビームとが一直線になるように調整されており、該第一および第二の発生源それぞれからの信号ビームを第一のコモン・ポイントに集束する第一の指向手段と、
前記第一の発生源からのアイドラー・ビーム、前記第一の発生源からの信号ビーム又は前記第二の発生源からの信号ビームの内の一つの位相を第一および第二の位相設定値の間で変える第一の光変調器と、
前記第二の発生源からの信号ビームの偏光を９０度回転させる第一の半波長板と、
前記第一のコモン・ポイントに配置され、前記第一の発生源からの第一の偏光状態の信号ビームを透過するとともに、前記半波長板により偏光が９０度回転した前記第二の発生源からの第二の偏光状態の信号ビームを反射する第一の偏光ビームスプリッターと、
前記第一の偏光ビームスプリッターと前記光リンクの間に配置され、前記第一の発生源からの信号ビームについては第一の偏光状態を保持し、前記第二の発生源からの信号ビームについてはその偏光を９０度回転して前記第一の半波長板を通過する前の第一の偏光状態に戻すように制御される第二の光変調器と、
前記第一の位相設定値から前記第二の位相設定値へ位相を変更するタイミングを制御する第一の制御装置と、
前記第二の光変調器の動作タイミングを制御する第二の制御装置とを有し、
前記受信器システムは、
前記光リンクを介して受信した信号ビームのうち、前記第一の発生源からの信号ビームについては第一の偏光状態を保持し、前記第二の発生源からの信号ビームについてはその偏光を９０度回転して第二の偏光状態とするように制御される第三の光変調器と、
前記第三の光変調器を通過した信号ビームのうち、前記第一の発生源からの第一の偏光状態の信号ビームを透過し、前記第二の発生源からの第二の偏光状態の信号ビームを反射する第二の偏光ビームスプリッターと、
前記第二の偏光ビームスプリッターにて分離された信号ビームをそれぞれ第二のコモン・ポイントに同じタイミングで集束する第二の指向手段と、
前記第一および第二の発生源からの信号ビームを検出する第一および第二の検出器と、
前記第二のコモン・ポイントに配置されて、位相が前記第一の位相設定値に変更された時に前記第一の検出器へ信号ビームを指向し、位相が前記第二の位相設定値に変更された時に前記第二の検出器へ信号ビームを指向するビームスプリッターと、
前記第二のコモン・ポイントに集束する前の前記第二の発生源からの信号ビームの光路に配置され、該信号ビームの偏光を９０度回転して第一の偏光状態に変換する第二の半波長板と、
前記第三の光変調器の動作タイミングを制御する第三の制御装置とを有し、
前記第一、第二、および第三の制御装置が同期化され、これら制御装置からの信号が前記データ・ラインを介して伝送されるように構成されていることを特徴とする。
【００１４】
（作用）
上記のとおりの本発明においては、第一の発生源からのアイドラー・ビーム、第一の発生源からの信号ビーム又は第二の発生源からの信号ビームの内の一つのビームの位相が光変調器によって制御され、これによりビームスプリッターに入射する各信号ビーム（すなわち、第一および第二の発生源からの信号ビーム）の間の位相ずれが制御される。この光変調器による位相制御は第一および第二の位相設定値の間で行われ、ビームスプリッターではその位相設定値の位相ずれに応じて干渉効果により出射信号ビームが第１または第２の検出器のいずれかへ振り分けられる。具体的には、第一の位相設定値に基づいて位相制御が行われると、第一および第二の発生源からの信号ビームはビームスプリッターによって第一の検出器の方向へ指向され、第二の位相設定値に基づいて位相制御が行われると、第一および第二の発生源からの信号ビームはビームスプリッターによって第二の検出器の方向へ指向される。本発明では、第一の検出器における信号ビームの検出は第一の論理値に対応し、第二の検出器における信号ビームの検出は第二の論理値に対応しており、制御装置が第一および第二の論理値にそれぞれ対応して第一の位相設定値から第二の位相設定値への位相変換のタイミングを制御することで、複数の第一および第二の論理値からなる暗号キー列が伝送される。
【００１５】
また、上記の暗号キー列伝送において、第一の発生源からのアイドラー・ビーム、第一の発生源からの信号ビーム又は第二の発生源からの信号ビームのどれかの部分で外部からの妨害（盗聴）を受けた場合、ビーム・スプリッターに到達する信号ビームの光子が不規則なものとなり、ビーム・スプリッターから出射される信号ビームの光子の方向性が不確実なものとなる。従って、第一および第二の信号ビームの光子を確実に指向できるかどうかを周期的に試験することにより、通信チャンネルが妨害（盗聴）を受けたかどうかを知ることができる。
【００１６】
以上説明した本発明の特徴、様相および利点は、以下の説明、請求項および添付の図面を参照することにより更に良く理解できる。
【００１７】
【発明の実施の形態】
次に、本発明の実施形態について図面を参照して説明する。
【００１８】
本発明の好適な実施内容を詳述する前に、図１を参照して、本発明の根拠となる物理的原理の概略について述べる。
【００１９】
図１は、第一および第二の発生源１０２、１０４の各々から発生する単一の光子を示す。両発生源１０２、１０４は、パラメトリック・ダウン・コンバ−タ−として動作する二次非線形結晶であって、“信号”ビームおよび“アイドラー”ビーム（それぞれｓとｉで示されている）と呼ばれる光ビームの形で同時に放射される一組の光子を発生する。ｉ１とｓ１は第一の発生源１０２から放射されたアイドラー・ビームと信号ビーム、ｉ２とｓ２は第二の発生源１０４から放射されたアイドラー・ビームと信号ビームである。二次非線形結晶、パラメトリック・ダウン・コンバ−タ−としてのその動作モード、信号ビームおよびアイドラー・ビームは、いずれも良く知られた技術であるため、ここでは簡略化のためにその詳細な説明は省略する。
【００２０】
第一の発生源が一組の光子（ｓ１およびｉ１）を放射するか又は第二の発生源が一組の光子（ｓ２およびｉ２）を放射するようにシステム・セッティングが調節されている場合、図１に示す特定の配置の下では特定の状況が発生する。全ビーム（ｓ１，ｉ１，ｓ２，ｉ２）の光路長が十分に調節されて、第一および第二のアイドラー・ビーム（ｉ１，ｉ２）が互いに一直線になるように配置された場合は、ビーム・スプリッター（ＢＳ）１０６に入射する第一および第二の信号ビーム（ｓ１，ｓ２）の光子は同じ側から出射する。信号ビーム光路長が信号ビーム（ｓ１，ｓ２）の光子の半波長分（位相１８０度シフト）だけ異なるように調節された場合は、ＢＳ１０６に到達する全ての信号ビーム（ｓ１、ｓ２）の光子はＢＳ１０６の反対側から出射する。更に、二つの発生源１０２、１０４間の第一のアイドラー・ビーム（ｉ１）に対して行われる１８０度位相シフトは、信号ビーム（ｓ１、ｓ２）をＢＳ１０６の反対側に切り替えるのと同じ効果を有する。  換言すれば、第一および第二の同じ非線形結晶発生源１０２、１０４は、好ましくは単一のレーザー光源（図示せず）からの二つの強いパルス励起波により光励起される。位相整合条件が適合すると、第一の信号ビーム（ｓ１）の光子およびアイドラー・ビーム（ｉ１）の光子の同時放射を伴なう第一の発生源１０２において、或は少し遅れて第二の信号ビーム（ｓ２）の光子およびアイドラー・ビーム（ｉ２）の光子の同時放射を伴なう第二の発生源１０４において、ダウン・コンバ−ジョン（周波数低下変換）が起きる。第一のアイドラー・ビーム（ｉ１）は、第二の発生源１０４を経て、第一および第二の発生源１０２、１０４間の光路長ｃτｉを有する第二のアイドラー・ビーム（ｉ２）モードに一直線化されている。ここで、ｃは光速、τｉは第一および第二の発生源１０２、１０４間の光学的遅延である。第一の発生源１０２からの第一の信号ビーム（ｓ１）は、第一および第二の信号ビーム（ｓ１、ｓ２）が交差するコモン・ポイントに配置されたＢＳ１０６の方へ鏡１０８によって反射される。第一および第二の信号ビーム（ｓ１、ｓ２）は、それぞれ長さｃτｓ１およびｃτｓ２の光路ａｂｄ、ｃｄ を有し、ＢＳ１０６で結合される。光変調器１１０は、第一のアイドラー・ビーム（ｉ１）の光路中に挿入され、第一および第二の位相設定値の間（好ましくは、ドライバー１１２で制御されるような１８０度位相シフトまたは０度位相シフトの間）で位相設定の制御が行われる。なお、光変調器を代案的に信号ビーム（ｓ１、ｓ２）の一方の光路におくことができることは、本分野の通常の技術を有する者が理解し得ることである。それら光路が第一および第二の信号ビーム（ｓ１、ｓ２）の光子および第一および第二のアイドラー・ビーム（ｓ１、ｓ２）の光子のコヒーレンス長範囲内に釣り合っている時、即ち、それら光路についてτｓ１−τｓ２＝τｉが成り立つ時は、干渉効果が生じる。
【００２１】
干渉効果は良く知られた技術であるため、ここでは、簡単化のために二つのキーの特徴のみを説明する。第一は、通信路の位相を制御することにより、ビーム・スプリッター１０６の一方のポート（またはサイド）又は反対のポートから出射するように全ての光子に関する確率を決定的な方法で制御できることである。もう一つのキーの特徴は、通信チャンネル経路、すなわち光線ｓ１、ｓ２およびｉ１が通る通信路のどれかの部分がどのような方法で変更されても、ビーム・スプリッター１０６に到達する光子が不規則に出射することである。
【００２２】
更に、光路長が十分に調整されていれば、１８０度の位相ずれがある場合は第一および第二の信号光（ｓ１、ｓ２）の光子が共に第一の検出器１１４に到達し、０度の位相ずれがある場合は第二の検出器１１６に到達するように、干渉効果により切り替えられる。このようにビーム・スプリッター１０６は、第一のアイドラー・ビーム（ｉ１）の位相が１８０度ずれている場合は信号光（ｓ１、ｓ２）を第一の検出器１１４の方向に指向し、第一のアイドラー・ビーム（ｉ１）の位相のずれが０度の場合は信号光（ｓ１、ｓ２）を第二の検出器１１６の方向に指向する。
【００２３】
図１に示した装置の位相を制御することにより、ＢＳ１０６からの第一および第二の信号ビーム（ｓ１、ｓ２）の光子の方向を制御できる。この特別な挙動は、三つの光路、即ち、第一および第二の信号ビーム（ｓ１、ｓ２）と第一のアイドラー・ビーム（ｉ１）の全てが公開されて外部から妨害されないという条件下においてのみ有効である。外部からの妨害（盗聴）は、信号光子の方向性を不確実なものにする。従って、第一および第二の信号ビーム（ｓ１、ｓ２）の光子を確実に指向できるかどうかを周期的に試験することにより、通信チャンネルを試験して障害を受けたかどうかを判定することができる。
【００２４】
ここで、図２を参照すると、同図には本発明の好適な実施例が示されており、符号２００で総括的に参照されている。図２中、図１と同じ構成は同じ参照符号を付している。本システムは、"送信器"サイド２０２と"受信器"サイド２０４とを有するが、これら"サイド"が信号ビーム（ｓ１、ｓ２）の送信又は受信ができるように送信器機能と受信器機能を併有できることは当業者の認識の範囲である。送信器サイド２０２は、主として単一の光子に対するコヒーレントな重畳量子状態を作り出す装置からなり、受信器側２０４は主として解析装置からなっている。送信器２０２と受信器２０４は、暗号キー伝送用の光ファイバー通信路２０６および検証目的のため公開チャンネル（非安全データ・ライン）２０８を介してリンクされている。
【００２５】
（送信器サイド）
光源２１０は、望ましくはモード・ロック・レーザーであって、第一および第二の二次非線形結晶発生源１０２、１０４を励起するために用いられる短波長レーザーパルス列を放射する。また、レーザーは片方の結晶発生源１０２に直接入射し、図２に示す鏡２１２、２１４のような鏡装置を経て他方の結晶発生源１０４へ反射されることが好ましい。なお、本発明の範囲又は精神から逸脱することがない限り、レーザー・ビームを両発生源１０２、１０４に供給するためにどのような装置でも使用できる。
【００２６】
適切な位相整合条件を選ぶことにより、第一および第二の発生源１０２、１０４の各々は、一対の周波数低減信号ビーム（ｓ１、ｓ２）の光子とアイドラー・ビーム（ｉ１，ｉ２）の光子を発生することができる。第一の発生源１０２からの第一のアイドラー・ビーム （ｉ１）は、第二の発生源１０４からの第二のアイドラー・ビーム（ｉ２）と同じ伝播モードになるように調整される。電圧制御モジュ−ル２１８により駆動される第一の光変調器２１６は、第一のアイドラー・ビーム（ｉ１）の光路中に挿入されている。結合されたビームの伝播モード（ｉ１およびｉ２）は、その出力が暗号化キー列伝送の状態信号として使用される単一光子アバランシェ・フォト・ダイオ−ド検出器のようなアイドラー・ビーム単一光子検出器２２０に入るように調整される。第一の光変調器２１６は、送信器側のコンピューター２３６からの制御信号に基づいて１８０度又は０度の位相シフトを行うことができ、且つモードロックレーザー２１０と同期したマスター・クロックからの導出信号と同調している。第一の発生源１０２からの第一の信号ビーム（ｓ１）は鏡２２４で反射されて、第一のコモン・ポイント２２７に配置された第一の偏光ビームスプリッター（ＰＢＳ）２２６に入射する。その偏光は、第一の信号ビーム（ｓ１）が常に第一のＰＢＳ２２６を経て第二の光変調器２２８に入るように調整されている。第二の発生源１０４からの第二の信号ビーム（ｓ２）は、該第二の信号ビーム（ｓ２）を第一のＰＢＳ２２６に入射させる鏡２３２に入射する前に、その偏光が９０度回転されるように第一の半波板（λ／２）２３０を通り抜ける。ゆえに、第一のＰＢＳ２２６に入射する第二の信号ビーム（ｓ２）は常に第一の信号ビーム（ｓ１）と同じ空間伝播モードで反射され、第一の信号ビームと同様に第二の光変調器２２８に入射する。第二の光変調器２２８は、第一および第二の信号ビーム（ｓ１、ｓ２）の偏光をその入口で９０度又は０度回転できる電圧ドライバー２３４によって制御される。その回転は、マスター・クロック２２２と同期した送信器側コンピューター２３６からのタイミング信号に基づいて制御される。望ましくは、クロック信号は、第一の信号ビーム（ｓ１）の光子が第二の光変調器２２８に到達した時にその偏光が回転していないように調整される。更に、到達信号光子が第二の信号ビーム（ｓ２）の光子であった場合には、第二のＰＢＳ２２６に入射するように第一の半波板（λ／２）２３０により回転した後に、その偏光が第二の光変調器２２８により９０度回転され、結果、元の状態に戻る。第一および第二の信号ビーム（ｓ１、ｓ２）の光子は異なる時刻に発生されるので、必要な偏光回転が行うことができる時間窓が存在する。従って、信号ビーム（ｓ１、ｓ２）の光子がどこ（発生源１０２又は１０４）から来るかに関係なく、信号ビーム（ｓ１、ｓ２）の光子間には時間遅れのみが存在し、それら光子の偏光状態は同じである。第二の光変調器２２８から出ると、第一および第二の信号ビーム（ｓ１、ｓ２）の両方からなる単一の伝播モードは、第一のレンズ２３８により受信器側２０４への通信のための単一モード・ファイバー２０６に収束される。適切な電気的調整および遅延調���の後に、マスター・クロック信号もまた同期をとるためにデータ・ライン２０８を経て受信器側に伝送される。マスター・クロック信号は、最初の同期用に受信器側に一回だけ送付される必要がある。送信器側および受信器側の双方ともローカル・クロックを介して送信および受信を制御できる。第一および第二のアイドラー・ビーム（ｉ１、ｉ２）の光子の検出が旨く言ったことを示す電子フラグ信号もまたデータライン２０８を経て受信器サイド２０４へ送られる。
【００２７】
（受信器サイド）
受信器サイド２０４は解析装置で構成される。ファイバー通信路２０６を通じて単一光子重畳状態（ｓ１、ｓ２）を、データライン２０８を通じてタイミング信号をそれぞれ受信すると、受信器のコンピューター・クロック２４０は、第三のドライバー２４５を経て第三の光変調器２４２へ定期信号を送出する。
【００２８】
あるいは、第一および第二の制御部２１８、２３４をマスター・クロック２２２により同期させ、第三の制御部２４５を始めはマスター・クロック２２２により同期させ、その後、受信器側クロック２４０により同期させることができる。このように、マスター・クロック２２２と受信器サイド・クロック２４０はマスター／スレイブの関係にある。
【００２９】
第三の光変調器２４２は以下の機能を実行する。クロック信号は、第一の信号ビーム（ｓ１）の光子が第三の光変調器２４２に到達した時にその偏光が元のままとなるように調整される。少しの遅延の後、到達した第二の信号ビーム（ｓ２）の光子に関しては、その偏光が９０度回転する。従って、第一の信号ビーム（ｓ１）の光子は、第二の偏光ビーム・スプリッター（ＰＢＳ）２４４を通じて続けて伝送されて、遅延がうまく調整される。第二の信号ビーム（ｓ２）の光子は、第二のＰＢＳ２４４から反射され、第二の半波長板（λ／２）２４６を通り、受信器２０４の下部ア−ムに入射する。第一および第二の信号ビーム（ｓ１、ｓ２）が第二のＰＢＳに入る前に第二のレンズ２４３でコリメートされていることが好ましい。第一および第二の信号ビーム（ｓ１、ｓ２）は、図２に示すように、好ましくは鏡２５０、２５２、２５４および２５６等の鏡配置により、ビームスプリッター（ＢＳ）２４９が配置される第二のコモン・ポイント２４８に向けられる。適切な時間調整で、第一および第二の信号ビーム（ｓ１、ｓ２）が干渉を起こす。従って、第一の光変調器２１６で発生する位相ずれが０度に設定された場合は、全ての信号ビーム（ｓ１又はｓ２）の光子はビームスプリッター（ＢＳ）２４９の一方の側に出て第一の信号ビーム単一光子検出器２５８により検出される。逆に、第一の光変調器２１６が位相１８０度に設定された場合は、全ての信号ビーム（ｓ１又はｓ２）の光子はＢＳ２４９の他の側から出て第二の信号ビーム単一光子検出器２６０により検出される。第一または第二の信号ビーム単一光子検出器２５８、２６０のどちらが光子を記録したかを検出することで、受信器２０４は送信器が論理値１又は０を送信したかを決定することができる。２進法における１、０等の論理値の列は、暗号化キー列を構成する。
【００３０】
（エラ−検出および訂正）
送信器２０２および受信器２０４は、良く知られた従来の固定技術を用いることによって経路長差を能動的に固定できる。このように、送信器サイド２０２および受信器サイド２０４の双方における経路長差に基づくエラ−を減少できる。更に、送信器２０２および受信器２０４は、信号ビーム（ｓ１、ｓ２）伝送におけるエラ−を検出することができ、失敗した転送を途中でやめることによりそのようなエラ−を訂正することができる。
【００３１】
以下に、両通信者（送信器２０２および受信器２０４）がキー列通信結果を修正できる条件を説明する。第一に、送信器２０２は、通信成功の条件として、アイドラー・ビーム単一光子検出器２２０による第一および第二のアイドラー・ビーム（ｉ１，ｉ２）の光子の検出を使用する。アイドラー・ビーム検出器２２０による第一および第二のアイドラー・ビーム（ｉ１，ｉ２）の光子の検出成功の条件下においてのみ、送信器２０２はフラグ信号を受信器２０４に送り、受信器２０４下では、第一又は第二の信号ビーム単一光子検出器２５８または２６０の何れかによる検出が記録される。第二に、受信器側２０４が第一又は第二の信号ビーム単一光子検出器２５８、２６０の何れかにより第一又は第二の信号ビーム単一光子を検出するという条件下においてのみ、検出成功を示すフラグ信号が従来のデータ・ライン２０８を介して送信器２０２へ送り返される。第一および第二のアイドラー・ビーム（ｉ１，ｉ２）の光子検出用のフラグ信号と結合され、通信は成功と見なされる。
【００３２】
次に、キー列伝送を比較検証する。このステップでは、送信器２０２と受信器２０４の間の伝送条件が従来の通信路を通じて比較される。矛盾がある場合は、暗号化キー列伝送がより高い成功率で発生することを保証するために、必要な位相変化が調整される。更に、秘密暗号化キー列伝送の検査手順を、採用し暗号化キー列伝送の各ビットを検査するために用いることができる。そのような方法を用いて、成功伝送暗号化キー・ビットが識別されて保存され、失敗ビットが識別されて廃棄される。最後に、またこの検査手順を用いて全通信チャンネルを検査し、盗聴者が存在するかどうかを決定することができる。そのような検査手順は、望ましくは、送信器２０２が量子状態を準備し（アルゴリズムを使用して任意の位相順序を発生する）、受信器２０４へその状態を送信するという構成を用いる。数回の繰り返しの後、送信器２０２および受信器２０４が検査結果を比較する。不一致の場合は、通信チャンネルに障害があると断定することができる。その他の場合は、通信は安全である。
【００３３】
当業者は、本発明の通信が一方通行であることを認識することができる。即ち、送信器２０２がキー列内のある特定ビットに対してある２進数を選択し、それに応じて全経路に対して位相値を設定してその値を達成する。検査手順は、望ましくは、まず送信器側２０２と受信器側２０４間の位相関係が同一であることを保証することを行う。その後、暗号キ−伝送システムの校正を行う。本発明においては、第一および第二の信号ビーム（ｓ１，ｓ２）が両方共に同じファイバー経路（ファイバーリンク２０６）を通るから、第一および第二の信号ビーム（ｓ１，ｓ２）を伝送するファイバー２０６に対する如何なる外乱によっても二つの信号ビーム間の全体の位相関係が変更になることはない。これは実際には、二つの信号ビームは、多重分離を可能とするために、ファイバー２０６内部において時間的に数ナノ秒だけ分離されているにすぎないからである。そのような短い遅延は、余りにも短すぎ、どのような熱的、機械的または音響的な妨害によっても影響を受ける。従って、これら第一および第二の信号ビーム（ｓ１，ｓ２）は共に、ファイバー経路２０６に対する外部妨害によって受ける影響は同じで、そのためこれらの経路長差または相対的位相が保存される。更に、当業者が認識できるように、本発明は従来技術の上記欠点を除去する量子力学的状態の偏光の保存に依存するものではない。
【００３４】
以上、本発明の好適な実施例を説明したが、本発明の精神から逸脱することがない限り、形態および細部にわたり多くの修正変更が可能であることはいうまでもない。ゆえに、本発明は記述および図示した正確な形態に制限されることなく、添付の請求の範囲に属するすべての修正を含むように構成されるべきものである。
【００３５】
【発明の効果】
以上説明したように、本発明によれば、第一および第二の検出器における信号ビームの検出結果がそれぞれ第一および第二の論理値とされて、複数の第一および第二の論理値からなる暗号キー列の伝送が行われるようになっているので、単一粒子の偏光のかかわり状態が利用される従来の量子暗号通信チャンネルにおいて生じていたような、通信チャンネルに対する障害（即ち、熱的又は機械的に誘発された二重屈折）によるエラ−が発生することはない。したがって、従来にない通信品質に優れた量子暗号通信チャンネルを提供することができる。
【００３６】
また、本発明では、外部からの妨害（盗聴）を受けた場合には、ビーム・スプリッターに到達する信号ビームの光子が不規則なものとなって、第一および第二の検出器の検出結果が不確実なものとなるので、物理的原理に基づく秘密保持がなされ、盗聴することは困難である。したがって、秘密性、安全性に優れた量子暗号通信チャンネルを提供することができる。
【図面の簡単な説明】
【図１】誘導放出効果を伴わない誘導コヒーレンスを有する本発明のシステムの概観図である。
【図２】本発明の送信器と受信器の間の暗号通信チャンネルの概要図である。
【符号の説明】
１０２  第一の発生源
１０４  第二の発生源
１０６  ビーム・スプリッター
１０８  鏡
１１０  光変調器
１１２  ドライバー
１１４  第一の検出器
１１６  第二の検出器
【図１】
0003799196.tif 000002
【図２】
0003799196.tif 000003